(57)【要約】【課題】蓄電池の異常を安価に報知することを目的とする。【解決手段】一段高い上げ床とされた床の段差部分に引出式の蓄電池収納庫４０を設けると共に、蓄電池収納庫４０の前面の外側の視認可能な位置に、複数のＬＥＤライト５６を設ける。そして、温度センサによって蓄電池の温度を検出して、蓄電池収納庫４０に収納された蓄電池が正常な場合に点灯させ、蓄電池の異常（温度上昇）が検出され場合に点滅させる。【選択図】図２
2010244918.tif 000002
【特許請求の範囲】
【請求項１】
蓄電池を収納する収納庫と、
蓄電池の異常を検出する検出手段と、
前記収納庫の外側の視認可能な場所に設けられ、蓄電池の状態を表示する表示手段と、
前記検出手段によって前記異常が検出されない場合に点灯し、前記検出手段によって前記異常が検出された場合に点滅するように前記表示手段を制御する制御手段と、
を備えた蓄電池収納庫の温度調整装置。
【請求項２】
前記制御手段は、蓄電池の充電状態に応じて前記表示手段を更に制御する請求項１に記載の蓄電池収納庫の温度調整装置。
【請求項３】
前記検出手段は、蓄電池の温度または前記収納庫内の温度を検出する温度検出手段を有し、前記制御手段は、前記温度検出手段によって検出された温度が所定温度以上の場合に点滅して前記異常を表示するように前記表示手段を制御する請求項１又は請求項２に記載の蓄電池収納庫の温度調整装置。
【請求項４】
前記収納庫の少なくとも一部を開閉可能とした開閉部と、
前記開閉部を開閉させる開閉手段と、を更に備え、
前記制御手段が、前記異常検出手段によって前記異常が検出された場合に、前記開閉部を開放するように前記開閉手段を更に制御する請求項３に記載の蓄電池収納庫の温度調整装置。
【請求項５】
前記収納庫の換気を行う換気手段を更に備え、前記制御手段が、前記検出手段によって前記異常が検出された場合に、前記収納庫の換気を行うように前記換気手段を更に制御する請求項４に記載の蓄電池収納庫の温度調整装置。
【請求項６】
前記開閉部を開放していることを表す開放表示を行う開放表示手段を更に備えた請求項４又は請求項５に記載の蓄電池収納庫の温度調整装置。
【請求項７】
前記換気手段を作動していることを表す作動表示を行う作動表示手段を更に備えた請求項５に記載の蓄電池収納庫の温度調整装置。
【請求項８】
前記制御手段が、前記開閉部を開閉して所定温度範囲に所定時間で戻らない場合に、前記収納庫の換気を行うように前記換気手段を制御する請求項５に記載の蓄電池収納庫の温度調整装置。
【請求項９】
前記制御手段は、前記換気手段を制御しても所定温度範囲に所定時間で戻らない場合に、蓄電池の電流接続を切断するように蓄電池の電流接続を更に制御する請求項８に記載の蓄電池収納庫の温度調整装置。
【請求項１０】
前記収納庫は、建物の居室内に形成された上げ床の下方に設けられ、荷物を収納する荷物収納部と、蓄電池を収納する蓄電池収納部と、を有する請求項１に記載の蓄電池収納庫の温度調整装置。
【請求項１１】
蓄電池の温度または前記収納庫内の温度を検出する温度検出手段と、前記収納庫から外部へ排気を行う排気機構と、床下から前記収納庫へ吸気を行う吸気機構と、前記温度検出手段によって所定温度以上の温度が検出された場合に、床下から前記収納庫へ吸気して、外部へ排気するように、前記吸気機構及び前記排気機構を制御する温度制御手段と、を更に備えた請求項１０に記載の蓄電池収納庫の温度調整装置。
【請求項１２】
少なくとも前記荷物収納部は、床に沿ってスライドして室内側に引出可能とされている請求項１０に記載の蓄電池収納庫の温度調整装置。
【請求項１３】
室内照度を検出する照度検出手段と、前記上げ床を報知するための光源と、を更に備え、前記制御手段が、前記照度検出手段によって所定照度以下の照度が検出された場合に、前記光源を点灯するように更に制御する請求項１０〜１２の何れか１項に記載の蓄電池収納庫の温度調整装置。
【請求項１４】
前記制御手段が、蓄電池の状態を監視し、蓄電池の異常を検出した場合に、前記光源を点滅するように更に制御する請求項１３に記載の蓄電池収納庫の温度調整装置。
【発明の詳細な説明】
【技術分野】
【０００１】
本発明は、蓄電池収納庫の温度調整装置にかかり、特に、住宅で使用する電力を蓄電する蓄電池を収納するための蓄電池収納庫の温度調整装置に関する。
【背景技術】
【０００２】
近年、環境問題等を考慮して、住宅に蓄電池を設けて、自然エネルギーを利用して発電した電力を蓄電し、住宅で使用する電力として蓄電池に蓄電した電力を用いる技術が提案されている。
【０００３】
一方、このような蓄電池を備えた技術としては、特許文献１に記載の技術が提案されている。特許文献１に記載の技術では、自然エネルギーを利用して発電した電力を蓄電池に蓄電するとともに照明などの外部負荷に放電する独立電源装置において、太陽電池、風車、蓄電池、充電回路、放電回路等にそれぞれ電流センサや電圧センサ等を設けて、各部の異常を検出し、異常が検出された場合に、蓄電池への充電を停止することが提案されていると共に、異常をＬＣＤ等の表示装置に表示することが提案されている。
【先行技術文献】
【特許文献】
【０００４】
【特許文献１】特開２００６−２５４８０号公報
【発明の概要】
【発明が解決しようとする課題】
【０００５】
しかしながら、特許文献１に記載の技術では、異常が発生した場合に蓄電池への充電が停止され、蓄電池の電力がなくなって住宅の電力を蓄電池から供給することができなくなってしまうことが考えられるが、蓄電池の温度上昇による異常の場合には、放熱すれば蓄電池を使用することができるため、改善の余地があり、蓄電池から発生する熱を放熱して温度調整することが望まれる。
【０００６】
また、蓄電池の異常に伴って、特許文献１に記載の技術では、異常の報知を行うようにしているが、異常が発生した場合に、ＬＣＤ等を用いて「太陽電池異常」などの文字表示するようしており、安価な表示を行うためには、改善の余地がある。
【０００７】
本発明は、上記事実を考慮して成されたもので、蓄電池の異常を安価に報知することを目的とする。
【課題を解決するための手段】
【０００８】
上記目的を達成するために請求項１に記載の発明は、蓄電池を収納する収納庫と、蓄電池の異常を検出する検出手段と、前記収納庫の外側の視認可能な場所に設けられ、蓄電池の状態を表示する表示手段と、前記検出手段によって前記異常が検出されない場合に点灯し、前記検出手段によって前記異常が検出された場合に点滅するように前記表示手段を制御する制御手段と、を備えることを特徴としている。
【０００９】
請求項１に記載の発明によれば、蓄電池が収納庫に収納される。また、検出手段では、蓄電池の異常が検出される。
【００１０】
また、収納庫の外側の視認可能な場所には、表示手段が設けられ、制御手段では、検出手段によって異常が検出されず正常な場合に点灯し、異常が検出された場合に点滅するように表示手段が制御される。すなわち、表示手段としては光源等の安価なものを適用することができ、表示手段の点灯と点滅によって蓄電池が異常か否かを判断することができるため、蓄電池の異常を安価に報知することができる。
【００１１】
なお、制御手段は、請求項２に記載の発明のように、蓄電池の充電状態に応じて表示手段を更に制御するようにしてもよい。これによって蓄電池の充電状態も報知することができる。
【００１２】
また、検出手段及び表示手段は、請求項３に記載の発明のように、検出手段が、蓄電池の温度または前記収納庫内の温度を検出する温度検出手段を有し、制御手段が、温度検出手段によって検出された温度が所定温度以上の場合に点滅して蓄電池の異常を表示するように表示手段を制御するようにしてもよい。
【００１３】
また、請求項１の発明は、請求項４に記載の発明のように、収納庫の少なくとも一部を開閉可能とした開閉部と、開閉部を開閉させる開閉手段と、を更に備えて、制御手段が、異常検出手段によって異常が検出された場合に、開閉部を開放するように開閉手段を更に制御するようにしてもよい。すなわち、蓄電池が発熱して温度上昇した場合には、開閉手段によって収納庫の少なくとも一部が開放され、蓄電池の熱が放熱される。従って、蓄電池から発生する熱を放熱して温度調整することができる。
【００１４】
この場合には、請求項５に記載の発明のように、収納庫の換気を行う換気手段を更に備えて、制御手段が、検出手段によって異常が検出された場合に、収納庫の換気を行うように換気手段を更に制御するようにしてもよい。すなわち、開閉部が開放されるだけではなく、換気手段によって強制的に換気されるので、開閉部から吸気して、蓄電池を冷却して、熱を排出することができ、蓄電池から発生する熱の放熱をより効果的に行うことができる。このとき、請求項６に記載の発明のように、開閉部を開放していることを表す開放表示を行う開放表示手段を更に備えるようにしてもよい。
【００１５】
また、請求項５に記載の発明は、請求項７に記載の発明のように、換気手段を作動していることを表す作動表示を行う作動表示手段を更に備えるようにしてもよいし、請求項８に記載の発明のように、制御手段が、開閉部を開閉して所定温度範囲に所定時間で戻らない場合に、収納庫の換気を行うように換気手段を制御するようにしてもよい。この場合には、制御手段は、請求項９に記載の発明のように、換気手段を制御しても所定温度範囲に所定時間で戻らない場合に、蓄電池の電流接続を切断するように蓄電池の電流接続を更に制御するようにしてもよい。
【００１６】
なお、収納庫としては、例えば、請求項１０に記載の発明のように、建物の居室内に形成された上げ床の下方に設けられ、荷物を収納する荷物収納部と、蓄電池を収納する蓄電池収納部と、を有する収納庫を適用するようにしてもよい。この場合には、少なくとも荷物収納部は、請求項１２に記載の発明のように、床に沿ってスライドして室内側に引出可能とされるようにしてもよい。また、請求項１１に記載の発明のように、蓄電池の温度または収納庫内の温度を検出する温度検出手段と、収納庫から外部へ排気を行う排気機構と、床下から前記収納庫へ吸気を行う吸気機構と、温度検出手段によって所定温度以上の温度が検出された場合に、床下から収納庫へ吸気して、外部へ排気するように、吸気機構及び排気機構を制御する温度制御手段と、を更に備えるようにしてもよい。これによって、温度検出手段によって所定温度以上の温度が検出された場合に、床下から収納庫へ吸気して、外部へ排気することができ、蓄電池の温度上昇を抑制することができる。
【００１７】
また、請求項１０〜１２の何れか１項に記載の発明は、請求項１３に記載の発明のように、室内照度を検出する照度検出手段と、上げ床の段差を報知するための光源と、を更に備えて、制御手段が、照度検出手段によって所定照度以下の照度が検出された場合に、光源を点灯するように更に制御するようにしてもよい。これによって、夜間等の周囲が暗い場合に、上げ床の段差を報知することができ、安全性を向上することができる。また、この場合には、請求項１４に記載の発明のように、制御手段が、蓄電池の状態を監視し、蓄電池の異常を検出した場合に、光源を点滅するように更に制御するようにしてもよい。なお、段差を報知するための光源と、蓄電池の異常を点滅によって報知するための光源は別でもよいし、同じ光源でもよい。
【発明の効果】
【００１８】
以上説明したように本発明によれば、点灯と点滅によって蓄電池の異常か否かを判断することができるので、蓄電池の異常を安価に報知することができる、という効果がある。
【図面の簡単な説明】
【００１９】
【図１】本発明の実施の形態に係わる蓄電池収納庫が設けられた建物の概略構成を示す図である。
【図２】本発明の実施の形態に係わる蓄電池収納庫の一例を示す図である。
【図３】本発明の実施の形態に係わる蓄電池収納庫の概略構成を示す図であり、（Ａ）は断面図であり、（Ｂ）は蓄電池収納庫の正面図である。
【図４】本発明の実施の形態に係わる蓄電池収納庫の温度調整装置の構成を示すブロック図である。
【図５】本発明の実施の形態に係わる蓄電池収納庫の温度調整装置における電力管理装置の制御部で行われる処理の流れの一例を示すフローチャートである。
【発明を実施するための形態】
【００２０】
以下、図面を参照して本発明の実施の形態の一例を詳細に説明する。図１は、本発明の実施の形態に係わる蓄電池収納庫が設けられた建物の概略構成を示す図である。
【００２１】
本発明の実施の形態に係わる蓄電池収納庫が設けられた建物１０は、蓄電池３０を用いて、住宅で使用する電気を蓄電及び給電する電力管理装置１２を備えている。
【００２２】
インバータ変換器１４は、電力会社から供給される交流電力を直流電力に変換して電力管理装置１２に供給すると共に、電力管理装置１２から供給される直流電力を交流電力に変換して電力会社へ供給することが可能とされている。
【００２３】
太陽電池１６は、太陽エネルギーを電力に変換するソーラーパネルを有し、該ソーラーパネルによって変換された電力をに電力管理装置１２へ供給する。
【００２４】
発電ユニット１８は、燃料電池を有し、該燃料電池によって発電して、発電した電力を電力管理装置１２へ供給する。
【００２５】
電力管理装置１２は、電力会社から供給される電力や、太陽電池から供給される電力、発電ユニット１８から供給される電力の蓄電池への供給を管理する。また、電力管理装置１２は、ハイブリッド自動車や電気自動車等の走行用蓄電池２６を備えた自動車２８が接続可能とされ、自動車２８の走行用蓄電池２６を充電することが可能とされている。
【００２６】
電力管理装置１２が管理する蓄電池３０は、例えば、図２に示すような床下に設けられた蓄電池収納庫４０内に収納される。図２の例では、畳コーナー等のように一段高い上げ床とされた床の段差部分に設けられた蓄電池収納庫４０に蓄電池３０が収納される。
【００２７】
詳細には、図３（Ａ）、（Ｂ）に示すように、蓄電池収納庫４０は、キャスター４２が設けられ、引き出すことができる引出し式の収納庫とされている。また、蓄電池収納庫４０は、引き出し手前側に一般的な荷物等の物品が収納される一般収納スペース４４が設けられ、引き出し奥側のスペースが蓄電池３０が収納され蓄電池収納スペース４６とされている。なお、一般収納スペース４４には、蓄電池３０より電源供給される直流電源ターミナル等を備えるようにしてもよい。或いは、蓄電池３０から供給される電力を交流に変換して電力供給を行うコンセントを備えるようにしてもよい。これによって、携帯電話やデジタルカメラ等の各種電子機器を収納したまま充電することが可能となる。
【００２８】
蓄電池収納スペース４６の底板及び奥板には、換気及び冷却のための通気ガラリ４８Ａ、４８Ｂが設けられている。通気ガラリ４８Ａ、４８Ｂは、網状や格子状とされ、蓄電池収納スペース４６の内外が貫通している。
【００２９】
通気ガラリ４８Ａに対向する蓄電池収納庫４０の床板には、床下と連通して開閉可能な開閉フタ５０が設けられており、開閉フタ５０が開放されることにより、床下から空気を蓄電池収納スペース４６内へ供給可能、または蓄電池収納スペース４６から床下へ空気を放出可能とされている。
【００３０】
また、通気ガラリ４８Ｂに対向する壁面には、屋外と連通する貫通ダクト５２が設けられており、該貫通ダクト５２内に換気扇５４が設けられている。換気扇５４は、蓄電池収納スペース４６から屋外へ空気を吸い出すことによって蓄電池収納スペース４６の換気を行うようになっている。
【００３１】
すなわち、開閉フタ５０を開放して換気扇５４を作動することによって、換気扇５４による負圧により、床下の空気が開閉フタ５０及び通気ガラリ４８Ａを介して蓄電池収納スペース４６に吸気される。そして、蓄電池収納スペース４６内の空気が通気ガラリ４８Ｂ及び貫通ダクト５２を介して屋外へ排出され、蓄電池３０を冷却することができる。
【００３２】
また、蓄電池収納庫４０の前面の外側の視認可能な位置には、複数のＬＥＤライト５６及び光センサ５８が設けられており、光センサ５８によって室内照度が検出され、所定照度以下の場合に、複数のＬＥＤライト５６のうち少なくとも１つが点灯されて、段差を知らせるようになっている。また、蓄電池３０の温度上昇による異常等をＬＥＤライト５６の点灯や点滅等によって報知すると共に、蓄電池３０の充電状態等をＬＥＤライト５６の明るさ等によって報知するようになっている。なお、本実施の形態では、段差報知用ＬＥＤライト５６Ａ、蓄電池３０の温度異常報知用ＬＥＤライト５６Ｂ、及び蓄電池３０の異常報知用ＬＥＤライト５６Ｃの３つのＬＥＤライト５６が設けられているものとして説明するが、３つ以上のＬＥＤライト５６を備えるようにしてもよい。
【００３３】
続いて、本発明の実施の形態に係わる蓄電池収納庫４０の温度調整装置の構成について説明する。図４は、本発明の実施の形態に係わる蓄電池収納庫４０の温度調整装置の構成を示すブロック図である。
【００３４】
蓄電池収納庫４０の温度調整装置６０は、上述の電力管理装置１２を備えており、電力管理装置１２は、蓄電池３０への充放電や温度調整等の制御を行う。蓄電池３０には、充放電制御部３２が接続されており、充放電制御部３２によって蓄電池３０への充電及び蓄電池３０に蓄電された電力の住宅や自動車２８への給電等が制御される。
【００３５】
充電制御部３２には、照明２２、空調装置２４、電気温水器２０等の家電へ電力を供給するための配電盤３４、インバータ変換器１４、太陽電池１６、及び発電ユニット１８等が接続されている。
【００３６】
また、充放電制御部３２は、電力会社から供給され、インバータ変換器１４によって変換された直流電力を蓄電池３０へ供給したり、蓄電池３０に蓄電された電力をインバータ変換器１４へ供給することによってインバータ変換器１４によって交流電力に変換して電力会社へ供給したり、インバータ変換器１４によって変換された直流電力を配電盤３４に供給したり、蓄電池３０に蓄電された電力を配電盤３４に供給したり、太陽電池１６から供給される電力を充電するための電力として蓄電池３０に供給したり、太陽電池１６から供給される電力をインバータ変換器１４を介して電力会社へ供給したり、発電ユニット１８から供給される電力を充電するための電力として蓄電池３０に供給したり、発電ユニット１８から供給される電力をインバータ変換器１４を介して電力会社へ供給したりする。充放電制御部３２による各電力の流れの切換は、制御部３６によって制御される。
【００３７】
制御部３６には、温度センサ３８、モータ駆動回路６２、換気扇５４、ＬＥＤ駆動回路６４、及び光センサ５８が接続されている。
【００３８】
温度センサ３８は、蓄電池３０の温度または蓄電池３０が収納された蓄電池収納スペース４６内等の蓄電池３０近傍の雰囲気温度を検出して検出結果を制御部３６に出力する。
【００３９】
モータ駆動回路６２は、床下開閉モータ６６を駆動することにより、蓄電池収納スペース４６の開閉フタ５０を開閉する。
【００４０】
換気扇５４は、上述したように、作動することにより、蓄電池収納スペース４６の換気を行うことにより、蓄電池３０を冷却する。
【００４１】
また、光センサ５８は、上述したように蓄電池収納庫４０の前面に設けられ、周囲の照度を検出し、検出結果を制御部３６に出力する。
【００４２】
ＬＥＤ駆動回路６４は、蓄電池収納庫４０の前面に設けられた複数のＬＥＤライト５６を駆動して、蓄電池３０の異常の報知や、段差があることの報知、蓄電池３０の状態等を表示する。
【００４３】
複数のＬＥＤライト５６は、例えば、上述したように、段差報知用ＬＥＤライト５６Ａ、蓄電池３０の温度異常報知用ＬＥＤライト５６Ｂ、蓄電池３０の異常報知用ＬＥＤライト５６Ｃなどを適用することができる。また、蓄電池３０の温度異常報知用ＬＥＤライト５６Ｂによる報知方法としては、例えば、蓄電池３０が所定温度以上となって開閉フタ５０を開放した場合に点灯させ、開閉フタ５０を開放しても温度が下がらないで換気扇５４を作動した場合に点滅させ、換気扇５４を作動しても温度が下がらず蓄電池３０の接続をカットした場合に点滅速度を早くしたりすることによって各状態を報知することができる。また、蓄電池３０の状態の報知方法としては、蓄電池３０の充電容量や電圧等から劣化等を自己診断により検出し、検出した蓄電池３０の状態に応じて異常報知用ライト５６Ｃの点灯、点滅、点滅速度等を変化させることによって報知することができる。また、本実施の形態では、異常報知用ＬＥＤライト５６Ｃは、蓄電池３０の温度異常等の異常が発生した場合に点滅し、正常な場合に点灯する。また、ＬＥＤ駆動回路６４が複数のＬＥＤラインと５６のうち何れか（例えば、異常報知用ＬＥＤライト５６Ｃ）の明るさを制御する等によって、蓄電池３０の充電量等を表示するようにしてもよい。
【００４４】
なお、図２及び図３（Ｂ）では、段差報知用ＬＥＤライト５６Ａ、温度異常報知用ＬＥＤライト５６Ｂ、及び異常報知用ＬＥＤライト５６Ｃ等の複数のＬＥＤライト５６を備えた例を示すが、１つのＬＥＤライト５６を用いて、点灯色や、点灯、点滅、点滅速度、明るさ等の組み合わせによって各状態を報知するようにしてもよい。
【００４５】
さらに、制御部３６は、蓄電池３０の自己診断を行うことによって、蓄電池３０の劣化等の異常を検出する機能を有している。例えば、充放電制御部３２が蓄電池３０の充電容量、電圧、電流、充電時間等を監視して、監視結果を制御部３６へ出力し、制御部３６が充放電制御部３２から出力される蓄電池３０の充電容量、電圧、電流、充電時間等に基づいて、蓄電池３０の劣化等の異常を判断することによって蓄電池３０の自己診断を行うことができる。そして、上述したように、ＬＥＤ駆動回路６４によって異常報知用ＬＥＤライト５６Ｃを制御することによって、自己診断結果を表示するようになっている。例えば、自己診断によって蓄電池３０の異常が検出された場合には、異常報知用ＬＥＤライト５６Ｃを点滅することによって蓄電池３０の異常を報知することができる。
【００４６】
次に上述のように構成された本発明の実施の形態に係わる蓄電池収納庫４０の温度調整装置６０における電力管理装置１２の制御部３６で行われる処理について説明する。図５は、本発明の実施の形態に係わる蓄電池収納庫４０の温度調整装置６０における電力管理装置１２の制御部３６で行われる処理の流れの一例を示すフローチャートである。
【００４７】
ステップ１００では、蓄電池３０の温度が検出されてステップ１０２へ移行する。すなわち、温度センサ３８によって検出された蓄電池３０の温度または蓄電池３０近傍の雰囲気温度を取得する。
【００４８】
ステップ１０２では、温度センサ３８の検出結果が所定温度以上か否か判定され、該判定が否定された場合にはステップ１００に戻り、肯定された場合にはステップ１０４へ移行する。
【００４９】
ステップ１０４では、蓄電池収納スペース４６に対向する床板の開閉フタ５０が開放されると共に、開閉フタ開放したことを表す表示が行われてステップ１０６へ移行する。すなわち、モータ駆動回路６２を制御して開閉フタ５０が開放する方向に床下開閉モータ６６を駆動すると共に、ＬＥＤ駆動回路６４を制御して、所定温度以上となり開閉フタ５０が開放したことを表す表示を行う。なお、所定温度以上になって開閉フタ５０を開放したことを表す表示としては、本実施の形態では、温度異常報知用ＬＥＤライト５６Ｂを点灯すると共に、異常報知用ＬＥＤライト５６Ｃを点滅することによって所定温度以上になって開閉フタ５０を開放したことを表す表示を行い、これによって蓄電池３０の温度が上昇している異常であることを報知する。
【００５０】
ステップ１０６では、所定時間（例えば、１０〜３０分）経過したか否か判定され、該判定が肯定されるまで待機してステップ１０８へ移行する。
【００５１】
ステップ１０８では、蓄電池３０の温度が再び検出されてステップ１１０へ移行する。すなわち、温度センサ３８によって検出された蓄電池３０の温度または蓄電池３０近傍の雰囲気温度を再び取得して、開閉フタ５０が開放されてことにより、蓄電池３０の温度が低下したか否かが検出される。
【００５２】
ステップ１１０では、温度センサ３８の検出結果が所定温度範囲内か否か判定される。該判定は、所定温度以上となって開閉フタ５０の開放することにより、所定温度未満となって所定温度範囲内になったか否かを判定し、該判定が肯定された場合にはステップ１１２へ移行し、否定された場合にはステップ１１４へ移行する。
【００５３】
ステップ１１２では、開放されている開閉フタ５０が閉じられると共に、開閉フタ５０を開放したことを表す表示が消灯されてステップ１００に戻って上述の処理が繰り返される。すなわち、モータ駆動回路６２を制御して開閉フタ５０が閉じる方向に床下開閉モータ６６を駆動すると共に、ＬＥＤ駆動回路６４を制御して、温度異常報知用ＬＥＤライド５６Ｂを消灯し、異常報知用ＬＥＤライト５６Ｃの状態を点滅から点灯に変化させる。
【００５４】
一方、ステップ１１４では、換気扇５４が作動されると共に、換気扇５４が作動していることを表す表示が行われてステップ１１６へ移行する。すなわち、換気扇５４を作動することによって、床下の空気を蓄電池収納スペース４６に吸い込んで冷却して、蓄電池３０で温められた空気を屋外に排出すると共に、ＬＥＤ駆動回路６４を制御して、換気扇５４を作動したことを表す表示を行う。なお、換気扇５４を作動したことを表す表示としては、本実施の形態では、点灯している温度異常報知用ＬＥＤライト５６Ｂを点滅すると共に、異常報知用ＬＥＤライト５６Ｃを点滅することによって、換気扇５４を作動したことを表す表示を行い、これによって蓄電池３０の温度が更に上昇している異常であることを報知する。
【００５５】
ステップ１１６では、所定時間（例えば、１０〜３０分）経過したか否か判定され、該判定が肯定されるまで待機してステップ１１８へ移行する。
【００５６】
ステップ１１８では、蓄電池３０の温度が再び検出されてステップ１２０へ移行する。すなわち、温度センサ３８によって検出された蓄電池３０の温度または蓄電池３０近傍の雰囲気温度を再び取得して、開閉フタ５０が開放されると共に換気扇５４が作動されることにより、蓄電池３０の温度が低下したか否かが検出される。
【００５７】
ステップ１２０では、温度センサ３８の検出結果が所定温度範囲内か否か判定される。該判定は、所定温度以上となって開閉フタ５０が開放され、その後換気扇５４が作動されることにより、所定温度未満になり、所定温度範囲内になったか否かを判定し、該判定が肯定された場合にはステップ１２２へ移行し、否定された場合にはステップ１２４へ移行する。
【００５８】
ステップ１２２では、開閉フタ５０が閉じられると共に、換気扇５４が停止され、換気扇５４を作動していることを表す表示が停止されてステップ１００に戻って上述の処理が繰り返される。すなわち、換気扇５４の作動を停止すると共に、ＬＥＤ駆動回路６４を制御して、温度異常報知用ＬＥＤライト５６Ｂを消灯し、異常報知用ＬＥＤライト５６Ｃの状態を点滅から点灯に変化させる。
【００５９】
一方、ステップ１２４では、蓄電池３０の接続がカットされると共に、異常警告表示が行われて一連の処理を終了する。すなわち、蓄電池３０が異常加熱しているので、蓄電池３０の電流接続をカットすることにより異常加熱を防止すると共に、異常警告を表示する。なお、異常警告の表示としては、本実施の形態では、点滅している温度異常報知用ＬＥＤライト５６Ｂの点滅速度を変更（例えば、点滅速度を速く）することによって蓄電池３０が異常であることを警告する。このとき、異常報知用ＬＥＤライト５６Ｃも点滅するので、これによっても異常であることを警告することができる。また、スピーカ等を備える場合には、蓄電池３０が異常であることを音や音声で報知するようにしてもよい。
【００６０】
このように、本実施の形態に係わる蓄電池収納庫の温度調整装置６０は、蓄電池３０の発熱によって所定温度以上になった場合には、蓄電池収納庫４０に設けられた開閉フタ５０が開放されることにより、蓄電池収納庫４０の熱を放熱することができる。また、それでも所定温度範囲にならない場合には、換気扇５４を作動することによって蓄電池収納スペース４６を強制的に換気することによって、蓄電池収納庫４０の熱を放熱して温度調整することができる。さらに、強制換気を行っても所定温度範囲にならない場合には、蓄電池３０の接続をカットすることによって蓄電池３０が更に加熱されるのを防止することができる。
【００６１】
なお、上記の実施の形態では、温度異常報知用ＬＥＤライト５６Ｂの点灯を制御することによって、蓄電池３０が温度上昇して開閉フタを開放したことを表す表示、換気扇５４を作動したことを表す表示、及び異常警告の表示等を行うようにし、異常報知用ＬＥＤライト５６Ｃの点灯を制御することによって、蓄電池３０の異常を報知するようにしたが、これに限るものではなく、温度異常報知用ＬＥＤライト５６Ｂ及び異常報知用ＬＥＤライト５６Ｃの代りに液晶等の表示装置を設けて、これらの内容を表示装置に表示することにより報知するようにしてもよい。
【００６２】
また、上記の実施の形態では、開閉フタ５０を床下開閉モータ６６を駆動することによって開閉するようにしたが、これに限るものではなく、形状記憶合金等を用いて蓄電池３０の温度または蓄電池収納庫４０の温度が所定温度以上になった場合に開閉フタ５０を開放させる構成してもよい。例えば、開閉フタ５０のヒンジを形状記憶合金で構成し、所定温度以上になった場合に開閉フタ５０を開放するように構成することができる。
【００６３】
また、上記の実施の形態では、開閉フタ５０は、蓄電池収納庫４０の床の一部を開閉可能としたが、一部でなくてもよい。
【００６４】
また、上記の実施の形態では、一般収納スペース４４と、蓄電池収納スペース４６と、が共に引出可能とした例を示したが、一般収納スペース４４が引出可能としてもよい。
【００６５】
また、上記の実施の形態では、開閉フタ５０を開放した表示として、温度異常報知用ＬＥＤライト５６Ｂを点灯すると共に、異常報知用ＬＥＤライト５６Ｃを点滅するようにし、換気扇５４が作動したことを表す表示として、温度異常報知用ライト５６Ｂを点滅すると共に、異常報知用ＬＥＤライト５６Ｃを点滅するようにしたが、これに限るものではなく、例えば、開閉フタ５０を開放したことを表す風マーク等が点灯するＬＥＤライトを別に設けてＬＥＤ駆動回路６４によって点灯を制御するようにしてもよいし、同様に、換気扇５４が作動したことを表す換気扇マーク等が点灯するＬＥＤライトを別に設けてＬＥＤ駆動回路６４によって点灯を制御するようにしてもよい。
【符号の説明】
【００６６】
１２    電力管理装置
３０    蓄電池
３２    充放電制御部
３６    制御部
３８    温度センサ
４０    蓄電池収納庫
４４    一般収納スペース
４６    蓄電池収納スペース
５０    開閉フタ
５２    貫通ダクト
５４    換気扇
５６    ＬＥＤライト
５８    光センサ
６０    温度調整装置
６２    モータ駆動回路
６４    ＬＥＤ駆動回路
６６    床下開閉モータ
【図１】
2010244918.tif 000003
【図２】
2010244918.tif 000004
【図３】
2010244918.tif 000005
【図４】
2010244918.tif 000006
【図５】
2010244918.tif 000007